(57)【要約】【課題】１つのリモコンにおいて使用頻度が高い設定画面をより簡便に手早く表示させ、ユーザの利便性を向上する。【解決手段】温調システムＳによれば、冷温水パネル３５１、暖房パネル３５２、床暖房パネル３５３を操作する１つのリモコン装置５３において、前記温調システムＳ全体に係わる設定を行える全体設定画面２００、及び、冷温水パネル３５１、暖房パネル３５２、床暖房パネル３５３に係わる設定を行える端末設定画面２０１〜２０３、の２種類の画面に機能が切り分けて設けられる。そして、各設定画面２００〜２０３には、タブＴＭ，ＴＡ，ＴＢ，ＴＣが設けられる。そしてその際、全体設定画面２００の表示状態にはなりにくくかつ端末設定画面２０１〜２０３の表示状態になりやすいように制御される。これにより、通常の使用場面において使用頻度が高い前記端末設定画面２０１〜２０３をより簡便に手早く表示させることができる。【選択図】図７
2019056494.tif 000002
【特許請求の範囲】
【請求項１】
水を供給する熱源機と、
前記熱源機に設けられ前記熱源機の動作を制御する熱源制御部と、
前記熱源機からの水を熱源として室内の空調をそれぞれ行う複数の室内端末機と、
前記複数の室内端末機と前記熱源機との間をそれぞれ接続する複数の管路にそれぞれ設けられた複数の熱動弁と、
前記複数の熱動弁を制御する熱動弁制御部と、
前記熱動弁制御部又は前記熱源制御部に対し通信可能に接続される、前記複数の室内端末機を操作するための１つの共通リモコンと、
を有する温調システムにおいて、
前記共通リモコンは、
所望の操作を実行可能な操作部と、
所望の表示を行う表示部と、
前記表示部を制御する表示制御手段と、
を有し、
前記表示制御手段は、
全体操作タブを備え、前記水の温度設定を含む前記温調システム全体に係わる設定を行うための全体設定画面、端末操作タブをそれぞれ備え、各室内端末機の運転開始・停止設定を含む当該室内端末機に係わる設定をそれぞれ行うための複数の端末設定画面、を含む複数の設定画面を切替可能に表示し、
かつ、
前記複数の設定画面のうちいずれが表示されている状態においても前記全体操作タブ及び複数の前記端末操作タブを操作可能にそれぞれ表示し、
かつ、
前記操作部を介し、前記全体操作タブ及び各端末操作タブのいずれかが操作された場合には、当該操作された操作タブを備えた前記設定画面を表示する
ように、前記表示部を制御するとともに、
前記表示制御手段は、
前記表示部を、前記全体設定画面の表示状態にはなりにくくかつ前記端末設定画面の表示状態になりやすくする、表示状態制限手段を備える
ことを特徴とする温調システム。
【請求項２】
水を供給する熱源機と、
前記熱源機に設けられ前記熱源機の動作を制御する熱源制御部と、
前記熱源機からの水を熱源として室内の空調をそれぞれ行う複数の室内端末機と、
前記複数の室内端末機と前記熱源機との間をそれぞれ接続する複数の管路にそれぞれ設けられた複数の熱動弁と、
前記複数の熱動弁を制御する熱動弁制御部と、
前記熱動弁制御部又は前記熱源制御部に対し通信可能に接続される、前記複数の室内端末機をそれぞれ操作するための複数のリモコンと、
を有する温調システムにおいて、
前記複数のリモコンのそれぞれは、
所望の操作を実行可能な操作部と、
所望の表示を行う表示部と、
前記表示部を制御する表示制御手段と、
を有し、
前記表示制御手段は、
全体操作タブを備え、前記水の温度設定を含む前記温調システム全体に係わる設定を行うための全体設定画面、端末操作タブを備え、対応する前記室内端末機の運転開始・停止設定を含む当該室内端末機に係わる設定を行うための端末設定画面、を含む複数の設定画面を切替可能に表示し、
かつ、
前記複数の設定画面のうちいずれが表示されている状態においても前記全体操作タブ及び対応する前記端末操作タブを操作可能にそれぞれ表示し、
かつ、
前記操作部を介し、前記全体操作タブ及び前記端末操作タブのいずれかが操作された場合には、当該操作された操作タブを備えた前記設定画面を表示する
ように、前記表示部を制御するとともに、
前記表示制御手段は、
前記表示部を、前記全体設定画面の表示状態にはなりにくくかつ前記端末設定画面の表示状態になりやすくする、表示状態制限手段を備える
ことを特徴とする温調システム。
【請求項３】
前記表示状態制限手段は、
前記表示部のうち一方側端部又はその近傍の特定部位に前記全体操作タブを表示するとともに、前記表示部のうち前記特定部位以外の部分に前記端末操作タブを表示するように、当該表示部を制御する
ことを特徴とする請求項１記載の温調システム。
【請求項４】
前記表示状態制限手段は、
前記表示部を前記全体設定画面の表示状態から前記端末設定画面の表示状態に切り替えるために予め定められた、前記端末操作タブに対する第１操作労力と、前記表示部を前記端末設定画面の表示状態から前記全体設定画面の表示状態に切り替えるために予め前記第１操作労力よりも大きな値に定められた、前記全体操作タブに対する第２操作労力と、を基準として
前記全体設定画面の表示状態において前記操作部において前記第１操作労力以上の操作がなされた場合には、当該全体設定画面の表示状態から前記端末設定画面の表示状態に切り替わり、
前記端末設定画面の表示状態において前記操作部において前記第２操作労力以上の操作がなされた場合には、当該端末設定画面の表示状態から前記全体設定画面の表示状態に切り替わる、
ように、前記表示部を制御することを特徴とする請求項１乃至請求項３の何れか１項に記載の温調システム。
【請求項５】
前記表示部における前記全体設定画面の表示状態において、前記操作部による操作のない状態が所定時間継続したか否かを判定する判定手段をさらに有し、
前記表示状態制限手段は、
前記判定手段により前記操作のない状態が所定時間継続したと判定された場合には、前記全体設定画面の表示状態から前記端末設定画面の表示状態に切り替わるように、前記表示部を制御する
ことを特徴とする請求項１乃至請求項４の何れか１項に記載の温調システム。
【請求項６】
前記表示状態制限手段は、
各リモコンの電源が投入された直後においては、前記全体設定画面の表示状態でなく前記端末設定画面の表示状態となるように、前記表示部を制御する
ことを特徴とする請求項１乃至請求項５の何れか１項に記載の温調システム。
【請求項７】
前記表示制御手段は、
前記端末操作タブが、対応する前記室内端末機の運転状態を表す第１状態表示部を備えるように
前記表示部を制御する
ことを特徴とする請求項１乃至請求項６の何れか１項に記載の温調システム。
【請求項８】
前記表示制御手段は、
前記全体設定画面において、当該リモコンの操作対象となっていない前記室内端末機の運転状態を表す第２状態表示部を備えるように
前記表示部を制御する
ことを特徴とする請求項１乃至請求項７の何れか１項に記載の温調システム。
【発明の詳細な説明】
【技術分野】
【０００１】
この発明は、複数の室内端末機を操作するためのリモコンを備えた温調システムに関する。
【背景技術】
【０００２】
従来より、この種のシステムにおいては、特許文献１記載のように、複数の室内端末機をそれぞれ操作（各室内端末機の運転開始・停止設定を含む）するための端末操作リモコンと、温調システム全体に係わる設定（熱源機から供給される水の温度設定を含む）を行うための全体操作リモコンと、を有するものがあった。
【先行技術文献】
【特許文献】
【０００３】
【特許文献１】特開２０１５−１７７５１号公報
【発明の概要】
【発明が解決しようとする課題】
【０００４】
この従来のものにおいては、前記全体操作リモコンと前記端末操作リモコンとが別々に設けられることからリモコンの設置のために広いスペースが必要であり、また複数のリモコンが例えばユーザの住居の壁面に並んで設置されることになるため、その設置状態において外観上の美観を損ねる、という問題があった。
【０００５】
これに対応するために、例えば、前記全体操作リモコンと前記端末操作リモコンとを１つに統合し、その１つのリモコンに、前記全体操作リモコン相当の機能を備えた画面（全体設定画面）と、前記端末操作リモコン相当の機能を備えた画面（端末設定画面）と、を設けることが考えられる。しかしながら、温調システム全体に係わる設定を行う前記全体設定画面は、室内端末機に係わる設定を行う前記端末設定画面に比べると、通常の使用場面ではかなり使用頻度が低いことが予想される。したがって、それら両方の画面を平等に表示可能な構成とすることは、例えば使用頻度が低い全体設定画面も比較的高頻度に表示されることとなるため、必ずしもユーザにとって便利なものとは言えない。
【課題を解決するための手段】
【０００６】
上記課題を解決するために、本発明の請求項１では、水を供給する熱源機と、前記熱源機に設けられ前記熱源機の動作を制御する熱源制御部と、前記熱源機からの水を熱源として室内の空調をそれぞれ行う複数の室内端末機と、前記複数の室内端末機と前記熱源機との間をそれぞれ接続する複数の管路にそれぞれ設けられた複数の熱動弁と、前記複数の熱動弁を制御する熱動弁制御部と、前記熱動弁制御部又は前記熱源制御部に対し通信可能に接続される、前記複数の室内端末機を操作するための１つの共通リモコンと、を有する温調システムにおいて、前記共通リモコンは、所望の操作を実行可能な操作部と、所望の表示を行う表示部と、前記表示部を制御する表示制御手段と、を有し、前記表示制御手段は、全体操作タブを備え、前記水の温度設定を含む前記温調システム全体に係わる設定を行うための全体設定画面、端末操作タブをそれぞれ備え、各室内端末機の運転開始・停止設定を含む当該室内端末機に係わる設定をそれぞれ行うための複数の端末設定画面、を含む複数の設定画面を切替可能に表示し、かつ、前記複数の設定画面のうちいずれが表示されている状態においても前記全体操作タブ及び複数の前記端末操作タブを操作可能にそれぞれ表示し、かつ、前記操作部を介し、前記全体操作タブ及び各端末操作タブのいずれかが操作された場合には、当該操作された操作タブを備えた前記設定画面を表示するように、前記表示部を制御するとともに、前記表示制御手段は、前記表示部を、前記全体設定画面の表示状態にはなりにくくかつ前記端末設定画面の表示状態になりやすくする、表示状態制限手段を備えるものである。
【０００７】
また、上記課題を解決するために、本発明の請求項２では、水を供給する熱源機と、前記熱源機に設けられ前記熱源機の動作を制御する熱源制御部と、前記熱源機からの水を熱源として室内の空調をそれぞれ行う複数の室内端末機と、前記複数の室内端末機と前記熱源機との間をそれぞれ接続する複数の管路にそれぞれ設けられた複数の熱動弁と、前記複数の熱動弁を制御する熱動弁制御部と、前記熱動弁制御部又は前記熱源制御部に対し通信可能に接続される、前記複数の室内端末機をそれぞれ操作するための複数のリモコンと、を有する温調システムにおいて、前記複数のリモコンのそれぞれは、所望の操作を実行可能な操作部と、所望の表示を行う表示部と、前記表示部を制御する表示制御手段と、を有し、前記表示制御手段は、全体操作タブを備え、前記水の温度設定を含む前記温調システム全体に係わる設定を行うための全体設定画面、端末操作タブを備え、対応する前記室内端末機の運転開始・停止設定を含む当該室内端末機に係わる設定を行うための端末設定画面、を含む複数の設定画面を切替可能に表示し、かつ、前記複数の設定画面のうちいずれが表示されている状態においても前記全体操作タブ及び対応する前記端末操作タブを操作可能にそれぞれ表示し、かつ、前記操作部を介し、前記全体操作タブ及び前記端末操作タブのいずれかが操作された場合には、当該操作された操作タブを備えた前記設定画面を表示するように、前記表示部を制御するとともに、前記表示制御手段は、前記表示部を、前記全体設定画面の表示状態にはなりにくくかつ前記端末設定画面の表示状態になりやすくする、表示状態制限手段を備えるものである。
【０００８】
また、請求項３では、前記表示状態制限手段は、前記表示部のうち一方側端部又はその近傍の特定部位に前記全体操作タブを表示するとともに、前記表示部のうち前記特定部位以外の部分に前記端末操作タブを表示するように、当該表示部を制御するものである。
【０００９】
また、請求項４では、前記表示状態制限手段は、前記表示部を前記全体設定画面の表示状態から前記端末設定画面の表示状態に切り替えるために予め定められた、前記端末操作タブに対する第１操作労力と、前記表示部を前記端末設定画面の表示状態から前記全体設定画面の表示状態に切り替えるために予め前記第１操作労力よりも大きな値に定められた、前記全体操作タブに対する第２操作労力と、を基準として前記全体設定画面の表示状態において前記操作部において前記第１操作労力以上の操作がなされた場合には、当該全体設定画面の表示状態から前記端末設定画面の表示状態に切り替わり、前記端末設定画面の表示状態において前記操作部において前記第２操作労力以上の操作がなされた場合には、当該端末設定画面の表示状態から前記全体設定画面の表示状態に切り替わる、ように、前記表示部を制御するものである。
【００１０】
また、請求項５では、前記表示部における前記全体設定画面の表示状態において、前記操作部による操作のない状態が所定時間継続したか否かを判定する判定手段をさらに有し、前記表示状態制限手段は、前記判定手段により前記操作のない状態が所定時間継続したと判定された場合には、前記全体設定画面の表示状態から前記端末設定画面の表示状態に切り替わるように、前記表示部を制御するものである。
また、請求項６では、前記表示状態制限手段は、各リモコンの電源が投入された直後においては、前記全体設定画面の表示状態でなく前記端末設定画面の表示状態となるように、前記表示部を制御するものである。
【００１１】
また、請求項７では、前記表示制御手段は、前記端末操作タブが、対応する前記室内端末機の運転状態を表す第１状態表示部を備えるように前記表示部を制御するものである。
【００１２】
また、請求項８では、前記表示制御手段は、前記全体設定画面において、当該リモコンの操作対象となっていない前記室内端末機の運転状態を表す第２状態表示部を備えるように前記表示部を制御するものである。
【発明の効果】
【００１３】
この発明の請求項１によれば、熱源機から供給される水（例えば温水又は冷水）が複数の管路を介して複数の室内端末機に導かれ、各室内端末機は、その供給された水を熱源として室内の空調（例えば暖房又は冷房）を行う。熱源機の動作は熱源制御部によって制御され、各管路に設けられた熱動弁は熱動弁制御部によって制御される。
【００１４】
このとき、請求項１では、前記複数の室内端末機を操作するために、前記熱動弁制御部又は前記熱源制御部に対し通信可能に接続される、１つの共通リモコンが設けられる。そして、この共通リモコンの表示部において、表示制御手段の制御により、複数の設定画面が切替可能に表示される。
【００１５】
前記複数の設定画面には、前記温調システム全体に係わる設定（前記水の温度設定を含む）を行うための全体設定画面と、前記複数の室内端末機に係わる設定（前記室内端末機の運転開始・停止設定を含む）をそれぞれ行うための複数の端末設定画面と、が含まれている。そして、これら全体設定画面及び端末設定画面には、切替操作用のタブ（全体操作タブ及び端末操作タブ）が例えば端部から突出するようにそれぞれ設けられている。表示部は、前記タブが操作された場合には、表示制御手段の制御により、当該操作されたタブを備えた設定画面の表示状態に移行する。
【００１６】
以上のように、請求項１によれば、１つのリモコンにおいて、前記温調システム全体に係わる設定を行える画面（全体設定画面）と、室内端末機に係わる設定を行える画面（端末設定画面）と、が切替可能に表示される。これにより、当該温調システム全体に係わる設定を行う全体操作リモコンと、室内端末機に係わる設定を行う端末操作リモコンと、が別々に設けられる従来構造に比べ、リモコンの設置スペースを低減しかつリモコン設置状態における美観を向上することができる。
【００１７】
またその際、前記全体操作リモコン相当の機能を得られる前記全体設定画面と、前記端末操作リモコン相当の機能を得られる前記端末設定画面と、の２種類の画面に、機能が切り分けて設けられ、さらに各設定画面にはタブ（全体操作タブ及び端末操作タブ）が設けられている。これにより、前記室内端末機に係わる設定を行う前記端末設定画面と、前記温調システム全体に係わる設定を行う前記全体設定画面とを、タブを用いて切り替えることができる。そしてこのとき、請求項１によれば、表示制御手段に備えられた表示状態制限手段により、表示部が、前記全体設定画面の表示状態にはなりにくくかつ前記端末設定画面の表示状態になりやすくなるよう、制御される。この結果、通常の使用場面では使用頻度が低い前記全体設定画面でなく、室温設定や室内端末機の能力調整のために通常の使用場面において使用頻度が高い前記端末設定画面を、より簡便に手早く表示させることができるので、ユーザの利便性を向上することができる。
【００１８】
また、請求項２によれば、熱源機から供給される水（例えば温水又は冷水）が複数の管路を介して複数の室内端末機に導かれ、各室内端末機は、その供給された水を熱源として室内の空調（例えば暖房又は冷房）を行う。熱源機の動作は熱源制御部によって制御され、各管路に設けられた熱動弁は熱動弁制御部によって制御される。
【００１９】
このとき、請求項２によれば、前記複数の室内端末機をそれぞれ操作するために、前記熱源制御部又は前記熱源制御部に対し通信可能に接続される、複数のリモコンが設けられる。そして、各リモコンの表示部において、表示制御手段の制御により、複数の設定画面が切替可能に表示される。
【００２０】
前記複数の設定画面には、前記温調システム全体に係わる設定（前記水の温度設定を含む）を行うための全体設定画面と、当該リモコンに対応する前記室内端末機に係わる設定（前記室内端末機の運転開始・停止設定を含む）をそれぞれ行うための端末設定画面と、が含まれている。そして、これら全体設定画面及び端末設定画面には、切替操作用のタブ（全体操作タブ及び端末操作タブ）が例えば端部から突出するようにそれぞれ設けられている。表示部は、前記タブが操作された場合には、表示制御手段の制御により、当該操作されたタブを備えた設定画面の表示状態に移行する。
【００２１】
以上のように、請求項２によれば、各リモコンにおいて、前記温調システム全体に係わる設定を行える画面（全体設定画面）と、室内端末機に係わる設定を行える画面（端末設定画面）と、が切替可能に表示される。これにより、当該温調システム全体に係わる設定を行う全体操作リモコンと、室内端末機に係わる設定を行う端末操作リモコンと、が別々に設けられる従来構造に比べ、リモコンの設置スペースを低減しかつリモコン設置状態における美観を向上することができる。
【００２２】
またその際、前記全体操作リモコン相当の機能を得られる前記全体設定画面と、前記端末操作リモコン相当の機能を得られる前記端末設定画面と、の２種類の画面に、機能が切り分けて設けられ、さらに各設定画面にはタブ（全体操作タブ及び端末操作タブ）が設けられている。これにより、前記室内端末機に係わる設定を行う前記端末設定画面と、前記温調システム全体に係わる設定を行う前記全体設定画面とを、タブを用いて切り替えることができる。そしてこのとき、請求項２によれば、表示制御手段に備えられた表示状態制限手段により、表示部が、前記全体設定画面の表示状態にはなりにくくかつ前記端末設定画面の表示状態になりやすくなるよう、制御される。この結果、通常の使用場面では使用頻度が低い前記全体設定画面でなく、室温設定や室内端末機の能力調整のために通常の使用場面において使用頻度が高い前記端末設定画面を、より簡便に手早く表示させることができるので、ユーザの利便性を向上することができる。
【００２３】
また、請求項３によれば、全体操作タブが、ユーザが比較的操作しにくい位置（表示部の一方側端部又はその近傍）にある特定部位に配置される。これにより、表示部は、確実に、前記全体設定画面の表示状態にはなりにくく、前記端末設定画面の表示状態になりやすくなる。この結果、前記のように使用頻度が高い前記端末設定画面をさらに確実に表示させることができる。
【００２４】
また、請求項４によれば、全体設定画面の表示状態から端末設定画面の表示状態に切り替えるために必要なユーザの操作労力（第１操作労力）よりも、前記端末設定画面の表示状態から前記全体設定画面の表示状態に切り替えるために必要なユーザの操作労力（第２操作労力）のほうが、大きくなるように予め設定されている。
【００２５】
これにより、表示部は、確実に、前記全体設定画面の表示状態にはなりにくく、前記端末設定画面の表示状態になりやすくなる。この結果、前記のように通常の使用場面において使用頻度が高い前記端末設定画面をより確実に表示させることができるので、操作時におけるユーザの利便性を確実に向上させることができる。
【００２６】
また、請求項５によれば、表示部が全体設定画面に切り替わった状態のまま、ある程度の時間（所定時間）継続すると、自動的に前記端末設定画面に切り替わる。したがって、これによっても、前記全体設定画面の表示状態にはなりにくく、前記端末設定画面の表示状態になりやすくなり、前記のように使用頻度が高い前記端末設定画面をさらに確実に表示させることができる。
また、請求項６によれば、表示部は、リモコンの電源が投入された直後のデフォルト状態として、前記全体設定画面の表示状態でなく前記端末設定画面の表示状態となる。したがって、これによっても、前記全体設定画面の表示状態にはなりにくく、前記端末設定画面の表示状態になりやすくなり、前記のように使用頻度が高い前記端末設定画面をさらに確実に表示させることができる。
【００２７】
また、請求項７によれば、ユーザは、表示部に常時表示されている前記端末操作タブに備えられた状態表示部（第１状態表示部）によって、当該リモコンの操作対象である室内端末機の運転状態を容易に視認することができる。
【００２８】
また、請求項８によれば、当該リモコンの操作対象ではない室内端末機であっても、ユーザは、その室内端末機の運転状態を、表示部の全体設定画面に備えられた状態表示部（第２状態表示部）によって容易に視認することができる。
【図面の簡単な説明】
【００２９】
【図１】本発明の一実施形態の温調システムが適用される家屋の間取り図
【図２】温調システムの全体概略構成を示す図
【図３】室外機の冷房・暖房運転時における冷凍サイクルを模式的に表した図
【図４】３つの室内端末機を操作するリモコン装置の外観構造を表す図
【図５】２つの室内端末機を操作するリモコン装置の外観構造を表す図
【図６】１つの室内端末機を操作するリモコン装置の外観構造を表す図
【図７】リモコン装置の表示部における画面遷移の例を表す図
【図８】リモコン装置の表示部における画面遷移の例を表す図
【図９】リモコン装置の表示部における画面遷移の例を表す図
【図１０】リモコン装置の表示部における画面遷移の例を表す図
【図１１】リモコン装置の表示部における画面遷移の例を表す図
【図１２】リモコン装置の表示部における画面遷移の例を表す図
【図１３】３つの室内端末機を操作するリモコン装置の別の例の外観構造を表す図
【発明を実施するための形態】
【００３０】
次に、本発明の一実施の形態を図１〜図１２に基づいて説明する。
【００３１】
本実施形態の温調システムの全体概略構成を図１及び図２により説明する。この温調システムＳは、図１に示す２階建ての住宅（１階に、洋室Ｒ１Ａと、リビングＲ１Ｂと、ダイニングＲ１Ｃと、キッチンＲ１Ｄとを備え、２階に、子供部屋Ｒ２Ａ、Ｒ２Ｂと、寝室Ｒ２Ｃと、洋室Ｒ２Ｄと、を備える）に設けられている。そして、この温調システムＳは図２に示すように、室外に設置される室外機１（熱源機に相当）と、この室外機１に対して、主往き管２及び冷温水往き管１６２，２６２，３６２、並びに、主戻り管３及び冷温水戻り管１６３，２６３，３６３、を介して接続される複数の室内端末機（この例では、２つの冷温水パネル２５１，３５１、２つの暖房パネル２５２，３５２、４つの床暖房パネル１５３，１５３，１５３，３５３）と、を有する。このとき、前記冷温水往き管１６２，２６２，３６２の上流側部分が、図示しない共通の１つの往き管ヘッダに接続されており、その往き管ヘッダの上流側が、１つの前記主往き管２に統合されている。同様に、前記冷温水戻り管１６３，２６３，３６３の下流側部分が、図示しない共通の１つの前記戻り管ヘッダに接続されており、その戻り管ヘッダの下流側が、１つの前記主戻り管３に統合されている。なお、前記した主往き管２及び冷温水往き管１６２，２６２，３６２、並びに、主戻り管３及び冷温水戻り管１６３，２６３，３６３が、各請求項記載の複数の管路に相当している。
【００３２】
まず、前記１階洋室Ｒ１Ａ、前記２階洋室Ｒ２Ｄ、及び、前記２階寝室Ｒ２Ｃ（以下適宜、これら３室を総称して「１階洋室Ｒ１Ａ等」という）には、図１及び図２に示すように、それぞれ、床暖房パネル１５３が設けられており、３つの床暖房パネル１５３それぞれへの端末回路が構築されている。各端末回路においては、前記主往き管２から分岐して延びる前記冷温水往き管１６２に、前記室外機１からの冷温水が当該主往き管２を介して供給される。そして、前記主戻り管３へと延びる前記冷温水戻り管１６３が、前記床暖房パネル１５３から導入された冷温水を当該主戻り管３を介して前記室外機１へと戻す。そして、前記床暖房パネル１５３への冷温水往き管１６２には、熱動弁コントローラＣＶ１からの駆動信号により開閉可能な熱動弁Ｖ１が設けられている。
【００３３】
このとき、１階洋室Ｒ１Ａに配置された前記床暖房パネル１５３の放熱（暖房）運転操作を実行可能なリモコン装置５１Ａが、例えば当該１階洋室Ｒ１Ａの壁面等に設けられ、２階洋室Ｒ２Ｄに配置された前記床暖房パネル１５３の放熱（暖房）運転操作を実行可能なリモコン装置５１Ｂが、例えば当該２階洋室Ｒ２Ｄの壁面等に設けられ、２階寝室Ｒ２Ｃに配置された前記床暖房パネル１５３の放熱（暖房）運転操作を実行可能なリモコン装置５１Ｃが、例えば当該２階寝室Ｒ２Ｃの壁面等に設けられている。
【００３４】
前記リモコン装置５１Ａ，５１Ｂ，５１Ｃでの操作に対応して出力される制御信号Ｓ１は、それぞれ、対応する前記端末回路に設けられた前記熱動弁コントローラＣＶ１に出力され、これに応じて当該熱動弁コントローラＣＶ１から出力される制御信号Ｓ１１によって、対応する前記端末回路の熱動弁Ｖ１の開閉動作が制御される。これにより、前記リモコン装置５１Ａを適宜に操作することで前記１階洋室Ｒ１Ａに配置された前記床暖房パネル１５３の運転状態を制御可能となり、前記リモコン装置５１Ｂを適宜に操作することで前記２階洋室Ｒ２Ｄに配置された前記床暖房パネル１５３の運転状態を制御可能となり、前記リモコン装置５１Ｃを適宜に操作することで前記２階寝室Ｒ２Ｃに配置された前記床暖房パネル１５３の運転状態を制御可能となる。なお、熱動弁コントローラＣＶ１と前記室外機１の制御を行う室外機制御部（後述）との間は双方向通信可能に接続されており、前記制御信号Ｓ１に対応する制御信号ＳＳ１が室外機制御部へと入力され、これによって前記冷温水往き管１６２へ供給される冷温水の流量や温度等が制御される。
【００３５】
また、図１及び図２に示すように、２階子供室Ｒ２Ａには冷温水パネル２５１が設けられ、２階子供室Ｒ２Ｂには暖房パネル２５２が設けられている。すなわち、前記主往き管２から分岐して延びる前記冷温水往き管２６２の途中に１つの往きヘッダ２９１が設けられており、冷温水往き管２６２のうち前記往きヘッダ２９１より上流側部分は、１つの共通往き管２６２Ａとして構成され、前記室外機１からの冷温水が当該主往き管２を介して供給される。そして、冷温水往き管２６２のうち前記往きヘッダ２９１より下流側部分は、前記子供室Ｒ２Ａに配置された前記冷温水パネル２５１への往き管２６２Ｂ１と、前記子供室Ｒ２Ｂに配置された前記暖房パネル２５２への往き管２６２Ｂ２とに分かれている。同様に、前記主戻り管３へと延びる前記冷温水戻り管２６３の途中に１つの戻りヘッダ２９２が設けられており、冷温水戻り管２６３のうち前記戻りヘッダ２９２より上流側部分は、前記冷温水パネル２５１からの戻り管２６３Ｂ１と、前記暖房パネル２５２からの戻り管２６３Ｂ２とに分かれている。そして、冷温水戻り管２６３のうち前記戻りヘッダ２９２より下流側部分は、１つの共通戻り管２６３Ａとして構成され、前記戻り管２６３Ｂ１，２６３Ｂ２を介し導入された冷温水を当該主戻り管３介し前記室外機１へと戻す。
【００３６】
そして、前記冷温水パネル２５１への往き管２６２Ｂ１、及び、前記暖房パネル２５２への往き管２６２Ｂ２には、熱動弁コントローラＣＶ２からの駆動信号により各往き管を開閉可能な熱動弁Ｖ２１，Ｖ２２がそれぞれ設けられている。このとき、前記冷温水パネル２５１の吸熱（冷房）及び放熱（暖房）運転操作と前記暖房パネル２５２の放熱（暖房）運転操作を実行可能な１つのリモコン装置５２が、例えば前記子供室Ｒ２Ａの壁面等に設けられている。前記リモコン装置５２での操作に対応して出力される制御信号Ｓ２は、前記熱動弁コントローラＣＶ２に出力され、これに応じて熱動弁コントローラＣＶ２から出力される制御信号Ｓ２１，Ｓ２２によって各熱動弁Ｖ２１，Ｖ２２の開閉動作が制御される。これにより、前記リモコン装置５２を適宜に操作することで前記冷温水パネル２５１及び前記暖房パネル２５２の運転状態を個別に制御可能となる。なお、熱動弁コントローラＣＶ２と前記室外機１の制御を行う室外機制御部（後述）との間は双方向通信可能に接続されており、前記制御信号Ｓ２に対応する制御信号ＳＳ２が室外機制御部へと入力され、これによって前記共通往き管２６２Ａへ供給される冷温水の流量や温度等が制御される。
【００３７】
さらに、図１及び図２に示すように、１階のリビングＲ１Ｂには冷温水パネル３５１が設けられ、１階のダイニングＲ１Ｃには暖房パネル３５２が設けられ、キッチンＲ１Ｄには床暖房パネル３５３が設けられている。すなわち、前記主往き管２から分岐して延びる前記冷温水往き管３６２の途中に１つの往きヘッダ３９１が設けられており、冷温水往き管３６２のうち前記往きヘッダ３９１より上流側部分は、１つの共通往き管３６２Ａとして構成され、前記室外機１からの冷温水が当該主往き管２を介して供給される。そして、冷温水往き管３６２のうち前記往きヘッダ３９１より下流側部分は、前記リビングＲ１Ｂに配置された前記冷温水パネル３５１への往き管３６２Ｂ１と、前記ダイニングＲ１Ｃに配置された前記暖房パネル３５２への往き管３６２Ｂ２と、前記キッチンＲ１Ｄに配置された前記床暖房パネル３５３への往き管３６２Ｂ３と、に分かれている。同様に、前記主戻り管３へと延びる前記冷温水戻り管３６３の途中に１つの戻りヘッダ３９２が設けられており、冷温水戻り管３６３のうち前記戻りヘッダ３９２より上流側部分は、前記冷温水パネル３５１からの戻り管３６３Ｂ１と、前記暖房パネル３５２からの戻り管３６３Ｂ２と、前記床暖房パネル３５３からの戻り管３６３Ｂ３と、に分かれている。そして、冷温水戻り管３６３のうち前記戻りヘッダ３９２より下流側部分は、１つの共通戻り管３６３Ａとして構成され、前記戻り管３６３Ｂ１，３６３Ｂ２，３６３Ｂ３を介し導入された冷温水を当該主戻り管３を介し前記室外機１へと戻す。
【００３８】
そして、前記冷温水パネル３５１への往き管３６２Ｂ１、前記暖房パネル３５２への往き管３６２Ｂ２、及び、前記床暖房パネル３５３への往き管３６２Ｂ３には、熱動弁コントローラＣＶ３からの駆動信号により各往き管を開閉可能な熱動弁Ｖ３１，Ｖ３２，Ｖ３３がそれぞれ設けられている。このとき、前記冷温水パネル３５１の吸熱（冷房）及び放熱（暖房）運転操作と前記暖房パネル３５２及び床暖房パネル３５３の放熱（暖房）運転操作を実行可能なリモコン装置５３が、例えば前記リビングの壁面等に設けられている。前記リモコン装置５３での操作に対応して出力される制御信号Ｓ３は、前記熱動弁コントローラＣＶ３に出力され、これに応じて熱動弁コントローラＣＶ３から出力される制御信号Ｓ３１，Ｓ３２，Ｓ３３によって各熱動弁Ｖ３１，Ｖ３２，Ｖ３３の開閉動作が制御される。これにより、前記リモコン装置５３を適宜に操作することで前記冷温水パネル３５１、前記暖房パネル３５２、及び前記床暖房パネル３５３の運転状態を個別に制御可能となる。なお、熱動弁コントローラＣＶ３と前記室外機１の制御を行う室外機制御部（後述）との間は双方向通信可能に接続されており、前記制御信号Ｓ３に対応する制御信号ＳＳ３が室外機制御部へと入力され、これによって前記共通往き管３６２Ａへ供給される冷温水の流量や温度等が制御される（詳細は後述）。
【００３９】
なお、前記した熱動弁コントローラＣＶ１，ＣＶ２，ＣＶ３が、各請求項記載の熱動弁制御部に相当している。
【００４０】
次に、前記室外機１の概略的なシステム構成を図３（ａ）に示す。図３（ａ）において、室外機１は、例えばＨＦＣなどの合成化合ガスを冷媒として循環させ室外での吸放熱を行う冷媒循環回路２１と、例えば不凍液などを冷温水として循環させ前記複数の室内端末機（前記の例では、２つの冷温水パネル２５１，３５１、２つの暖房パネル２５２，３５２、４つの床暖房パネル１５３，１５３，１５３，３５３）での吸放熱を行う、（前記主往き管２及び前記冷温水往き管１６２，２６２，３６２、並びに、前記主戻り管３及び前記冷温水戻り管１６３，２６３，３６３からなる）冷温水循環回路２２と、の間における熱交換を行うものである。
【００４１】
すなわち、前記冷媒循環回路２１は、前記室外機１に備えられた、前記冷媒の循環方向を切り替える四方弁６と、前記冷媒を圧縮する圧縮機７と、前記冷媒と外気との熱交換を行う室外熱交換器８と、前記冷媒を減圧膨張させる膨張弁９と、前記主往き管２及び前記主戻り管３を循環する前記冷温水と前記冷媒との熱交換を行う水−冷媒熱交換器１１とを、冷媒配管１５で接続して形成されている。なお、前記冷媒配管１５で互いに接続された前記四方弁６、前記圧縮機７、前記室外熱交換器８、前記膨張弁９によってヒートポンプ装置が構成されている。また、前記室外熱交換器８に送風する室外ファン１０がさらに設けられている。
【００４２】
前記四方弁６は４つのポートを備える弁であり、（前記冷媒配管１５の一部を構成する）冷媒主経路１５ａ用の２つのポートのそれぞれに対して、（前記冷媒配管１５の一部を構成する）他の冷媒副経路１５ｂ用の２つのポートのいずれに接続するかを切り替える。冷媒副経路１５ｂ用の２つのポートどうしはループ状に配置された冷媒副経路１５ｂで接続されており、この冷媒副経路１５ｂ上に前記圧縮機７が設けられている。
【００４３】
前記圧縮機７は、低圧ガス状態の冷媒を昇圧して高圧ガス状態にするとともに、室外機１内における冷媒配管１５全体の冷媒を循環させるポンプとしても機能する。
【００４４】
また、前記四方弁６の冷媒主経路１５ａ用の２つのポートどうしは、ループ状に配置された前記冷媒主経路１５ａで接続されており、この冷媒主経路１５ａ上に前記室外熱交換器８、前記膨張弁９、及び前記水−冷媒交換器１１が順に（図３（ａ）に示す例では冷媒主経路１５ａ左回りの順に）設けられている。
【００４５】
前記室外熱交換器８は、その内部を通過するガス状態の前記冷媒の温度が室外の外気温度より高い場合は、その冷媒の熱を放熱して液体状態に凝縮させる凝縮器として機能する。また、その内部を通過する液体状態の前記冷媒の温度が室外の外気温度より低い場合は外気の熱を冷媒に吸熱してガス状態に蒸発させる蒸発器として機能する（後述の図３（ｂ）参照）。
【００４６】
前記室外ファン１０は、前記室外熱交換器８に対して送風することで、室外熱交換器８の性能を向上させる。
【００４７】
前記膨張弁９は、高圧液体状態の前記冷媒を減圧膨張させて低圧液体状態とするよう機能する。
【００４８】
水−冷媒熱交換器１１は、前記のように冷媒主経路１５ａに接続されてその内部に冷媒を通過させるとともに、前記主往き管２及び前記主戻り管３にも接続されてその内部に冷温水を通過させる。水−冷媒熱交換器１１の内部を通過する液体状態の冷媒の温度が前記冷温水の温度より低い場合は、冷媒に対して冷温水の熱を吸熱しガス状態に蒸発させる蒸発器として機能する。また、水−冷媒熱交換器１１の内部を通過するガス状態の冷媒の温度が冷温水の温度より高い場合は、冷媒に対してその熱を冷温水に放熱し液体状態に凝縮させる凝縮器として機能する（後述の図３（ｂ）参照）。
【００４９】
一方、前記冷温水循環回路２２は、前記室外機１に備えられた、前記水−冷媒熱交換器１１、前記冷温水に循環圧力を加える循環ポンプ１２、及びシスターンタンク１３と、前記複数の室内端末機（前記の例では、２つの冷温水パネル２５１，３５１、２つの暖房パネル２５２，３５２、４つの床暖房パネル１５３，１５３，１５３，３５３）を、前記主往き管２及び前記冷温水往き管１６２，２６２，３６２、並びに、前記主戻り管３及び前記冷温水戻り管１６３，２６３，３６３で接続して形成されている。
【００５０】
前記水−冷媒熱交換器１１は、前記主往き管２及び前記主戻り管３に接続されており、前記主戻り管３上に、前記シスターンタンク１３及び前記循環ポンプ１２が設けられている。
【００５１】
前記シスターンタンク１３は、キャビテーションなどで冷温水中に生じた気泡の分離（気水分離機能）と、前記冷温水循環回路２２における膨張冷温水の吸収及び冷温水の補給を行う。
【００５２】
前記循環ポンプ１２は、前記主往き管２及び前記主戻り管３全体に冷温水を循環させるよう機能する。
【００５３】
なお、このとき、室外機１は、当該室外機１の制御を行う室外機制御部ＣＵ（熱源制御部に相当）を備えている。この室外機制御部は、主にＣＰＵ、ＲＯＭ、ＲＡＭ等を備えたマイクロコンピュータで構成され、前記リモコン装置５１，５２，５３からの前記制御信号Ｓ１，Ｓ２，Ｓ３に対応した前記熱動弁コントローラＣＶ１、ＣＶ２，ＣＶ３からの前記制御信号ＳＳ１，ＳＳ２，ＳＳ３に基づいて、室外機１全体（前記の圧縮機７、四方弁６、膨張弁９、室外ファン１０、循環ポンプ１２等）に対し公知の手法により適宜の制御を行う。
なお、前記の図２中においては、前記の熱動弁Ｖ１，Ｖ２１，Ｖ２２，Ｖ３１，Ｖ３２，Ｖ３３及び熱動弁コントローラＣＶ１，ＣＶ２，ＣＶ３が室外機１の外に配置されている場合を例にとって説明したが、これに限られない。すなわち、熱動弁Ｖ１，Ｖ２１，Ｖ２２，Ｖ３１，Ｖ３２，Ｖ３３を室外機１に内蔵することも可能である。この場合、熱動弁コントローラＣＶ１，ＣＶ２，ＣＶ３は省略されるとともに、前記室外機制御部ＣＵが熱動弁コントローラと同等の機能を有する（熱動弁制御部に相当）ことになる。
【００５４】
上記構成の冷媒循環回路２１において、前記圧縮機７は冷媒副経路１５ｂ上において一方向に冷媒を循環させるものであり、前記四方弁６の切り替えによって冷媒主経路１５ａ上の冷媒の循環方向を制御する。前記図３（ａ）は冷房運転時の循環方向を示しており、圧縮機７から吐出した冷媒が室外熱交換器８、膨張弁９、水−冷媒熱交換器１１の順で流通する。これにより、低温・低圧で吸入されたガス状態の冷媒が前記圧縮機７で圧縮されて高温・高圧のガスとなった後、前記室外熱交換器８（凝縮器として機能）において前記室外ファン１０の送風で冷却されることで外気に熱を放出しながら高圧の液体に変化する。こうして液体になった冷媒は前記膨張弁９で減圧されて低圧の液体となり蒸発しやすい状態となる。その後、低圧の液体が前記水−冷媒熱交換器１１（蒸発器として機能）において蒸発してガスに変化することで前記主戻り管３からの冷水から吸熱を行う。そして冷媒は、低温・低圧のガスとして再び前記圧縮機７へと戻る。
【００５５】
このとき、前記のようにして水−冷媒熱交換器１１で冷却された冷水は、主往き管２及び冷温水往き管１６２，２６２，３６２から前記複数の室内端末機（２つの冷温水パネル２５１，３５１、２つの暖房パネル２５２，３５２、４つの床暖房パネル１５３，１５３，１５３，３５３）のうち前記冷温水パネル２５１，３５１に供給されて室内空気から吸熱して室内を冷却し、その後に前記シスターンタンク１３を通過して再び前記循環ポンプ１２へ戻る。以上のような冷媒循環回路２１の冷凍サイクルと冷温水循環回路２２との間で熱交換を行うことにより、室内空調の一種としての、室内空気の温度を下げる冷房運転が行われる。
【００５６】
一方、図３（ｂ）は暖房運転時の循環方向を示しており、圧縮機７から吐出した冷媒が水−冷媒熱交換器１１、膨張弁９、室外熱交換器８の順で流通する。これにより、低温・低圧で吸入されたガス状態の冷媒が前記圧縮機７で圧縮されて高温・高圧のガスとなった後、前記水−冷媒熱交換器１１（凝縮器として機能）において前記主戻り管３からの温水に熱を放出しながら高圧の液体に変化する。こうして液体になった冷媒は前記膨張弁９で減圧されて低圧の液体となり蒸発しやすい状態となる。その後、低圧の液体が前記室外熱交換器８（蒸発器として機能）において蒸発してガスに変化することで外気から吸熱する。そして冷媒は、低温・低圧のガスとして再び前記圧縮機７へと戻る。
【００５７】
このとき、前記のようにして水−冷媒熱交換器１１で加熱された温水は、主往き管２から前記複数の室内端末機（２つの冷温水パネル２５１，３５１、２つの暖房パネル２５２，３５２、４つの床暖房パネル１５３，１５３，１５３，３５３）のうち少なくとも１つに供給されて室内空気に放熱して室内を加温し、その後に前記シスターンタンク１３を通過して再び前記循環ポンプ１２へ戻る。以上のような冷媒循環回路２１の冷凍サイクルと冷温水循環回路２２との間で熱交換を行うことにより、室内空調の一種としての、室内空気の温度を上げる暖房運転が行われる。
【００５８】
次に、前記リモコン装置５１Ａ，５１Ｂ，５１Ｃ，５２，５３の詳細について、説明する。
【００５９】
まず、図４（ａ）〜（ｄ）にリモコン装置５３（１つの共通のリモコンの一例に相当）の外観を示す。リモコン装置５３には、表示部２５０と、前記室内端末機の運転開始・停止を指示するための「運転／停止」ボタン２５３と、前記室内端末機に対しタイマーによる運転を指示するための「タイマー」ボタン２５４と、前記室内端末機の運転態様（冷房・暖房や通常モード・セーブモード等）の切替を指示する「運転切替」ボタン２５５と、画面表示を１つ前の画面に戻すための「戻る」ボタン２５７と、「メニュー／決定」ボタン２５８と、上下左右方向への十字キー２５９と、が備えられている。なお、前記「運転／停止」ボタン２５３、前記「タイマー」ボタン２５４、前記「運転切替」ボタン２５５、前記「戻る」ボタン２５７と、前記「メニュー／決定」ボタン２５８、及び、前記十字キー２５９が、各請求項記載の操作部に相当している（以下適宜、単に「操作部２５９等」という）。また、図示を省略しているが、リモコン装置５３には、後述する各種の表示を行うための、表示制御手段としてのＣＰＵや記憶部としてのメモリ等が内蔵されている。
【００６０】
前記表示部２５０は、前記ＣＰＵの制御により、複数の設定画面（後述の画面２０１〜２０３）を切替可能に表示することができる。すなわち、表示部２５０は、図４（ａ）に示す例では、温水・冷水の温度設定や冷房・暖房切替等を含む、前記温調システムＳ全体に係わる設定を行うための全体設定画面２００を表示（詳細内容は後述）している。また、図４（ｂ）に示す例では、表示部２５０は、前記リビングＲ１Ｂに設けられた冷温水パネル３５１の運転開始・停止設定を含む、当該冷温水パネル３５１に係わる設定を行うための端末設定画面２０１を表示（詳細内容は後述）している。さらに、図４（ｃ）に示す例では、表示部２５０は、前記ダイニングＲ１Ｃに設けられた暖房パネル３５２の運転開始・停止設定を含む、当該暖房パネル３５２に係わる設定を行うための端末設定画面２０２を表示（詳細内容は後述）している。さらに、図４（ｄ）に示す例では、表示部２５０は、前記キッチンＲ１Ｄに設けられた床暖房パネル３５３の運転開始・停止設定を含む、当該床暖房パネル３５３に係わる設定を行うための端末設定画面２０３を表示している。
【００６１】
このとき、前記表示部２５０に表示される各設定画面２００〜２０３のうち一方側端部又はその近傍の特定部位（この例では全体設定画面２００上部の左端）に、前記全体設定画面２００を選択するための、「メイン」表記のタブＴＭ（全体操作タブに相当）が上方へ突出するように設けられている。また、各設定画面２００〜２０３の前記特定部位以外の部分に、前記端末設定画面２０１を選択するための「Ａ」表記のタブＴＡ（端末操作タブの一例に相当）、前記端末設定画面２０２を選択するための「Ｂ」表記のタブＴＢ（端末操作タブの一例に相当）、前記端末設定画面２０３を選択するための「Ｃ」表記のタブＴＣ（端末操作タブの一例に相当）が設けられている。詳細には、前記タブＴＡは、各設定画面２００〜２０３の上部左寄りに設けられ、前記タブＴＢは、各設定画面２００〜２０３の上部中央付近に設けられ、前記タブＴＣは、各設定画面２００〜２０３の上部右寄りに設けられている。これらタブＴＭ，ＴＡ，ＴＢ，ＴＣ（これらタブＴＭ及びタブＴＡ，ＴＢ，ＴＣ。以下適宜、単に「タブＴ」と総称する）は、前記の各設定画面２００〜２０３のうちいずれが表示されている状態においても操作可能にそれぞれ表示されており（図４（ａ）〜（ｄ）参照）、前記操作部２５９等を介し、前記タブＴＭ，ＴＡ，ＴＢ，ＴＣのいずれかを操作することにより、当該操作されたタブＴＭ，ＴＡ，ＴＢ，ＴＣを備えた前記設定画面２００〜２０３を表示することができる。但し、この例では、これらタブＴＭ，ＴＡ，ＴＢ，ＴＣのうちいずれか１つが選択されているとき、その選択されたタブＴから移動して選択できるのは、当該タブＴに隣接するタブＴに限定される。これに対応して、表示状態にある設定画面２００〜２０３に対応するタブＴＭ，ＴＡ，ＴＢ，ＴＣでは、上記ＣＰＵの制御により、図４（ａ）〜（ｄ）に示すように、各タブＴから移動可能な他のタブＴの位置の方向（配置される側）を表すように、上記「メイン」「Ａ」「Ｂ」「Ｃ」の表記それぞれの両サイドに、「▲（右向き）」「▲（左向き）」の表示が行われる。
例えば、図４（ｂ）に示すように、設定画面２０１で選択状態にあるタブＴＡについては、当該タブＴＡから移動して選択できるのはタブＴＭ及びタブＴＢだけであることから、タブＴＡの両サイドに、タブＴＭの側に対応した「▲（左向き）」の表示とタブＴＢの側に対応した「▲（右向き）」の表示とがそれぞれ行われる。
同様に、図４（ｃ）に示すように、設定画面２０２で選択状態にあるタブＴＢについては、当該タブＴＢから移動して選択できるのはタブＴＡ及びタブＴＣだけであることから、タブＴＢの両サイドに、タブＴＡの側に対応した「▲（左向き）」の表示とタブＴＣの側に対応した「▲（右向き）」の表示とがそれぞれ行われる。
一方、図４（ａ）に示すように、設定画面２００で選択状態にあるタブＴＭについては、当該タブＴＭから移動して選択できるのはタブＴＡだけであることから、タブＴＭの右側にのみ、タブＴＡの側に対応した「▲（右向き）」の表示のみが行われる。
同様に、図４（ｄ）に示すように、設定画面２０３で選択状態にあるタブＴＣについては、当該タブＴＣから移動して選択できるのはタブＴＢだけであることから、タブＴＣの左側にのみ、タブＴＢの側に対応した「▲（左向き）」の表示のみが行われる。
【００６２】
次に、図５（ａ）〜（ｃ）にリモコン装置５２（１つの共通のリモコンの一例に相当）の外観を示す。このリモコン装置５２は、前記表示制御手段としてのＣＰＵの制御に基づき表示される表示部２５０におけるタブの数（言い替えれば切り替え表示可能な設定画面の数）が異なる以外は、前記リモコン装置５３と同様の構成である。
【００６３】
すなわち、表示部２５０は、図５（ａ）に示す例では、前記と同様の前記温調システムＳ全体に係わる設定を行うための、前記タブＴＭを備えた全体設定画面２１０を表示する。また、図５（ｂ）に示す例では、表示部２５０は、前記子供室Ｒ２Ａに設けられた冷温水パネル２５１の運転開始・停止設定を含む、当該冷温水パネル２５１に係わる設定を行うための端末設定画面２１１を表示している。さらに、図５（ｃ）に示す例では、表示部２５０は、前記子供室Ｒ２Ｂに設けられた暖房パネル２５２の運転開始・停止設定を含む、当該暖房パネル２５２に係わる設定を行うための端末設定画面２１２を表示している。そして、前記図４と同様、図５に示すタブＴＭ，ＴＡ，ＴＢも、前記の各設定画面２１０〜２１２のうちいずれが表示されている状態においても操作可能にそれぞれ表示されており（図５（ａ）〜（ｃ）参照）、前記操作部２５９等を介し、前記タブＴＭ，ＴＡ，ＴＢのいずれかを操作することにより、当該操作されたタブＴＭ，ＴＡ，ＴＢを備えた前記設定画面２１０〜２１２を表示することができる。なお、図示のように、各タブＴＭ，ＴＡ，ＴＢの選択状態においては、前述と同様の「▲（右向き）」「▲（左向き）」の表示が行われる。
【００６４】
次に、図６（ａ）〜（ｂ）にリモコン装置５１Ａ，５１Ｂ，５１Ｃ（複数のリモコンに相当）の外観を示す。これらリモコン装置５１Ａ〜Ｃのそれぞれは、前記表示制御手段としてのＣＰＵの制御に基づき表示される表示部２５０におけるタブの数（言い替えれば切り替え表示可能な設定画面の数）が異なる以外は、前記リモコン装置５３，５２と同様の構成である。
【００６５】
すなわち、図６（ａ）に示す例では、表示部２５０は、前記と同様の前記温調システムＳ全体に係わる設定を行うための、前記タブＴＭを備えた全体設定画面２２０を表示する。
【００６６】
また、図６（ｂ）に示す例では、表示部２５０は、前記床暖房パネル１５３（リモコン装置５１Ａでは前記洋室Ｒ１Ａに設けた床暖房パネル１５３、リモコン装置５１Ｂでは前記洋室Ｒ２Ｄに設けた床暖房パネル１５３、リモコン装置５１Ｃでは前記寝室Ｒ２Ｃに設けた床暖房パネル１５３）の運転開始・停止設定を含む、当該床暖房パネル１５３に係わる設定を行うための端末設定画面２２１を表示している。そして、前記図４及び図５と同様、図６に示すタブＴＭ，ＴＡも、前記の各設定画面２２０，２２１のうちいずれが表示されている状態においても操作可能にそれぞれ表示されており（図６（ａ）〜（ｂ）参照）、前記操作部２５９等を介し、前記タブＴＭ，ＴＡのいずれかを操作することにより、当該操作されたタブＴＭ，ＴＡを備えた前記設定画面２２０，２２１を表示することができる。なお、図示のように、各タブＴＭ，ＴＡの選択状態においては、前述と同様の「▲（右向き）」「▲（左向き）」の表示が行われる。
【００６７】
次に、前記のようにして、タブを用いて表示部２５０に表示する設定画面を切り替えることができる前記リモコン装置５１Ａ〜Ｃ，５２，５３のうち、前記表示制御手段としてのＣＰＵの制御によって表示部２５０において実現される、具体的な画面遷移の例を、前記リモコン装置５３の場合を例にとって説明する。
【００６８】
前記リモコン装置５３において、図示しないスイッチ等により電源が投入された後の状態を図７（ａ）に示す。図示のように、リモコン装置５３の表示部２５０は、電源投入直後においては、（前記全体設定画面２００でなく）端末設定画面２０１〜２０３のうち予め定められたいずれか１つ、この例では前記端末設定画面２０１が表示される。ＣＰＵによるこのような表示部２５０への制御によって、結果的に、全体設定画面２００の表示状態にはなりにくくかつ端末設定画面２０１の表示状態になりやすくなる制御が実行されており、このＣＰＵの制御機能が各請求項記載の表示状態制限手段に相当している。
【００６９】
このとき、端末設定画面２０１は、中央に配置され、対応する室内端末機（この例では前記冷温水パネル３５１。以下同様）の運転状態を表す運転状態表示領域２０１Ａと、右端に配置され、前記冷温水パネル３５１に供給される冷温水の温度レベルを表示する冷温水レベル表示領域２０１Ｃと、前記運転状態表示領域２０１Ａと前記冷温水レベル表示領域２０１Ｃとの間に配置され、前記冷温水レベル表示領域２０１Ｃでの温度レベルをインジケータ表示するインジケータ領域２０１Ｂと、を備えている。
【００７０】
図示の例では、前記運転状態表示領域２０１Ａには、リビングＲ１Ｂに設けられた前記冷温水パネル３５１に対し前記室外機１からの温水により暖房が実行可能な設定状態であるものの、暖房運転が行われていない状態を表す「リビング  温水暖房  停止」の表示がなされている。また前記冷温水レベル表示領域２０１Ｃには、暖房時における温水の前記温度レベル（前記熱動弁Ｖ３１の開閉タイミングに対応している）が、例えば１０段階のうち５段階目に予め（可変に）設定されていることを表す「５」が表示され、前記インジケータ領域２０１Ｂには、それに対応するインジケータ表示が行われている。
【００７１】
なおこのとき、前述したように、「メイン」表記のタブＴＭ、「Ａ」表記のタブＴＡ、「Ｂ」表記のタブＴＢ、「Ｃ」表記のタブＴＣが、操作可能にそれぞれ表示されている。そしてそれらのうち前記タブＴＡには、対応する前記室内端末機（この例では前記冷温水パネル３５１）の運転状態を表す状態表示部ＤＡ（この例では停止状態である「ＯＦＦ」表記）が設けられ、前記タブＴＢには、対応する前記室内端末機（この例では前記暖房パネル３５２）の運転状態を表す状態表示部ＤＢ（この例では停止状態である「ＯＦＦ」表記）が設けられ、前記タブＴＣには、対応する前記室内端末機（この例では前記床暖房パネル３５３）の運転状態を表す状態表示部ＤＣ（この例では停止状態である「ＯＦＦ」表記）が設けられている。なお、これら状態表示部ＤＡ，ＤＢ，ＤＣが、各請求項記載の第１状態表示部に相当している。また、詳細な説明を省略するが、他のリモコン装置５２，５１Ａ，５１Ｂ，５１Ｃにおいても同様の構成となっている。
【００７２】
前記図７（ａ）に示した状態から、前記十字キー２５９の左向き▲キーを長めの所定時間だけ押下して前記タブＴＭを操作することで、図７（ｂ）に示す前記全体設定画面２００へ移行する。このとき、前記左向き▲キーへの前記所定時間分の操作として、通常の前記操作部２５９等への操作（後述の前記十字キー２５９に対する単押し操作参照）よりも操作労力の大きい、例えば３秒間の長押し操作（第２操作労力に相当）又は当該３秒間を超える時間の長押し操作が行われた場合に限り、前記移行が行われる。なお、この例では、前記リモコン装置５３における前記端末設定画面２０１から前記全体設定画面２００への移行を例に取っているが、他の前記端末設定画面２０２，２０３から前記全体設定画面２００への移行においても、前記タブＴＭに対し前記同様の３秒間以上の長押し操作がなされた場合に限り実行される。さらに、詳細な説明を省略するが、前記リモコン装置５２における前記端末設定画面２１１，２１２から前記全体設定画面２１０への移行（図５参照）や、前記リモコン装置５１Ａ〜Ｃにおける前記端末設定画面２２１から前記全体設定画面２２０への移行についても、対応する前記タブＴＭに対し前記同様の３秒間以上の長押し操作がなされた場合に限り実行される。ＣＰＵによるこのような表示部２５０への制御によっても、結果的に、全体設定画面２００等の表示状態にはなりにくくかつ端末設定画面２０１等の表示状態になりやすくなる制御が実行されており、このＣＰＵの制御機能も、各請求項記載の表示状態制限手段に相当している。
【００７３】
図７（ｂ）において、前記全体設定画面２００は、中央に配置され、前記温調システムＳ全体の運転状態を表す運転状態表示領域２００Ａと、右端に配置され、前記室外機１から温調システムＳ全体に供給される冷温水の温度設定（ユーザが前記操作部２５９等を用いて設定可能）を表示する温度設定表示領域２００Ｃと、前記運転状態表示領域２００Ａの下部に配置され、前記温調システムＳに配置されかつ当該リモコン装置５３の操作対象ではない前記室内端末機（例えば、前記リモコン装置５２により操作される前記冷温水パネル２５１や暖房パネル２５２、前記リモコン装置５１Ａ〜Ｃにより操作される前記床暖房パネル１５３等）の運転状態を表示する、他機表示領域２００Ｂ（第２状態表示部に相当）と、を備えている。
【００７４】
図示の例では、前記運転状態表示領域２００Ａには、前記室外機１から温水を供給し温調システムＳ全体として暖房運転可能な設定状態であるものの、まだ暖房運転が行われていない状態を表す「温水暖房  停止」の表示がなされている。また前記温度設定表示領域２００Ｃには、暖房用にユーザが予め（可変に）設定した温水の前記温度設定「４０℃」が表示されている。また、前記他機表示領域２００Ｂには、前記操作対象ではない室内端末機（以下適宜、「非対象端末機」という）が運転されていないことを表す「他機  ＯＦＦ」の表示がなされている。なおこのとき、前記非対象端末機に関する前記他機表示領域２００Ｂでは、前記した冷温水パネル２５１、暖房パネル２５２、床暖房パネル１５３等のうちいずれか１つでも運転されていれば「ＯＮ」で、全てが停止状態にある場合に限り「ＯＦＦ」と表示しても良い。あるいは、予め定められた特定の少なくとも１つの前記非対象端末機（例えば前記冷温水パネル２５１）が運転されていれば「ＯＮ」、停止状態にあれば「ＯＦＦ」と表示しても良い。なお、詳細な説明を省略するが、他のリモコン装置５２，５１Ａ，５１Ｂ，５１Ｃの全体設定画面２１０，２２０においても、同様の他機表示領域が備えられている。
【００７５】
前記図７（ｂ）に示した状態から、前記「運転切替」ボタン２５５が操作されると、前記全体設定画面２００は、図７（ｃ）に示す状態へ移行する。図示のように、前記「運転切替」ボタン２５５の操作により、前記運転状態表示領域２００Ａは、前記室外機１から冷水を供給し温調システムＳ全体として冷房運転可能な設定状態で、かつ当該冷房運転がまだ行われていない状態を表す「冷水冷房  停止」の表示に切り替わる。同様に、前記温度設定表示領域２００Ｃは、冷房用にユーザが予め（可変に）設定した冷水の前記温度設定「１５℃」が表示されている。
【００７６】
前記図７（ｃ）に示した状態から、前記十字キー２５９の右向き▲キーを短い所定時間だけ押下して前記タブＴＡを操作することで、図７（ｄ）に示す前記端末設定画面２０１へ再び移行する。このとき、前記右向き▲キーへの前記所定時間分の操作として、前述の３秒間の長押し操作よりも操作労力の小さい、例えばごく短時間（例えば０．０１秒）間の押し操作（第１操作労力に相当）又は当該０．０１秒間を超える時間の押し操作（以下適宜、それらの押し操作を単に「単押し操作」という）が行われると、前記移行が行われる。ＣＰＵによるこのような表示部２５０への制御によって、結果的に、全体設定画面２００の表示状態にはなりにくくかつ端末設定画面２０１の表示状態になりやすくなる制御が実行されており、このＣＰＵの制御機能も、各請求項記載の表示状態制限手段に相当している。
【００７７】
あるいは、前記図７（ｃ）のように前記全体設定画面２００が表示され、かつ前記操作部２５９等による操作のない状態（以下適宜、単に「非操作状態」という）が、予め定められた所定時間（例えば１０分間）継続したか否か、が前記ＣＰＵによって判定され、その判定が満たされたとき（言い替えれば非操作状態が１０分以上になったとき）、前記図７（ｃ）に示した状態から前記図７（ｄ）の前記端末設定画面２０１へ移行するようにしてもよい。ＣＰＵによるこの制御によっても、結果的に、全体設定画面２００の表示状態にはなりにくくかつ端末設定画面２０１の表示状態になりやすくなる制御が実行されており、このＣＰＵの制御機能も、各請求項記載の表示状態制限手段に相当している。なおこの場合、前記の判定を行うＣＰＵが、各請求項記載の判定手段として機能する。なお、他のリモコン装置５２，５１Ａ，５１Ｂ，５１Ｃの前記全体設定画面２１０，２２０においても同様である。
なお、上記のように全体設定画面２００が表示されかつ非操作状態が所定時間継続したときに、別の運転中の室内端末機（例えば前記暖房パネル３５２や床暖房パネル３５３）があった場合は、当該運転中の室内端末機に対応する端末設定画面（上記の例では暖房パネル３５２に対応する端末設定画面２０２や床暖房パネル３５３に対応する端末設定画面２０３）に移行するようにしてもよい（図示省略）。この場合、前記運転中の室内端末機の設定を即座に変更できる表示状態とすることができ、ユーザの利便性を向上させることができる。
【００７８】
図７（ｄ）において、前記端末設定画面２０１では、前記した「運転切替」ボタン２５５の操作によって、前記運転状態表示領域２０１Ａは、リビングＲ１Ｂに設けられた前記冷温水パネル３５１に対し前記室外機１からの冷水により冷房が実行可能な設定状態であるものの、冷房運転が行われていない状態を表す「リビング  冷水冷房  停止」の表示に切り替わっている。また前記冷温水レベル表示領域２０１Ｃでは、冷房時における冷水の前記温度レベル（前記熱動弁Ｖ３１の開閉タイミングに対応している）が、例えば１０段階のうち５段階目であることを表す「５」が表示され、前記インジケータ領域２０１Ｂには、それに対応するインジケータ表示が行われている。
【００７９】
前記図７（ｄ）に示した状態から、前記「運転／停止」ボタン２５３が操作されると、前記端末設定画面２０１は、図７（ｅ）に示す状態へ移行する。図示のように、前記「運転／停止」ボタン２５３の操作により、前記運転状態表示領域２０１Ａは、前記室外機１から冷水が供給され温調システムＳ全体として冷房運転が開始された状態を表す「リビング  冷水冷房  運転中」の表示に切り替わり、状態表示部ＤＡは、「ＯＦＦ」表記から「ＯＮ」表記に切り替わる。なお、前記冷温水レベル表示領域２０１Ｃでは、前記冷房運転により供給される冷水の温度レベルが、前記図７（ｄ）に引き続き「５」であることが表示されている。
【００８０】
一方、前記図７（ａ）〜（ｅ）により説明した画面遷移例とは異なる別の画面遷移例を図８（ａ）〜（ｃ）により説明する。図８（ａ）は、前記図７（ａ）と同一の、電源投入直後の前記端末設定画面２０１を表している。
【００８１】
この図８（ａ）に示した状態から、前記十字キー２５９の左向き▲キーに対し、前記図７（ａ）において説明した３秒間の長押し操作よりも短い時間の操作（例えば前述の単押し操作）が行われると、前記端末設定画面２０１は、図８（ｂ）に示す状態へ移行する。図示のように、前記運転状態表示領域２０１Ａに代え、メッセージ表示領域２０１Ｄが表示され、さらにそのメッセージ領域２０１Ｄの下部に、ガイド表示領域２０１Ｅが表示されている。前記メッセージ表示領域２０１Ｄには、前記図７（ａ）において説明した３秒間の長押し操作を行わない限り前記全体設定画面２００への移行は不可能であることを表す、”メイン画面への移行は「▲（左向き）」を３秒押ししてください”の注意喚起メッセージが表示される。前述したように、ＣＰＵによるこのような表示部２５０への制御によって、結果的に、全体設定画面２００の表示状態にはなりにくくかつ端末設定画面２０１の表示状態になりやすくなる制御が実行されており、このＣＰＵの制御機能も、各請求項記載の表示状態制限手段に相当している。なお、前記のガイド表示領域２０１Ｅには、この注意喚起メッセージの画面を閉じるには前記「戻る」ボタン２５７を操作すればよいということを報知するための、”［戻る］でメッセージ画面を閉じます”というガイド表示が行われる。
【００８２】
前記図８（ｂ）に示した状態から、前記「戻る」ボタン２５７を操作することで、図８（ｃ）に示す前記端末設定画面２０１へ再び移行する。あるいは、前記と同様、図８（ｂ）の状態で前記非操作状態が、予め定められた所定時間（例えば１０秒間）継続したとき、当該図８（ｂ）の状態から図８（ｃ）の前記端末設定画面２０１へ移行するようにしてもよい。
【００８３】
また、さらに異なる別の画面遷移例を図９（ａ）〜（ｅ）により説明する。図９（ａ）は、前記の図７（ａ）及び図８（ａ）と同一の、電源投入直後の前記端末設定画面２０１を表している。
【００８４】
この図９（ａ）に示した状態から、前記十字キー２５９の右向き▲キーを押下して前記タブＴＢを操作（前記単押し操作）することで、図９（ｂ）に示す前記端末設定画面２０２へ移行する。図９（ｂ）において、この端末設定画面２０２は、前記端末設定画面２０１と同様、中央に配置され対応する室内端末機（この例では前記暖房パネル３５２。以下同様）の運転状態を表す運転状態表示領域２０２Ａと、右端に配置され、前記暖房パネル３５２に供給される冷温水の温度レベルを表示する冷温水レベル表示領域２０２Ｃと、前記運転状態表示領域２０２Ａと前記冷温水レベル表示領域２０２Ｃとの間に配置され、前記冷温水レベル表示領域２０２Ｃでの温度レベルをインジケータ表示するインジケータ領域２０２Ｂと、を備えている。
【００８５】
図示の例では、前記運転状態表示領域２０２Ａには、ダイニングＲ１Ｃに設けられた前記暖房パネル３５２に対し前記室外機１からの温水により暖房が実行可能な設定状態であるものの、暖房運転が行われていない状態を表す「ダイニング  温水暖房  停止」の表示がなされている。また前記冷温水レベル表示領域２０２Ｃには、暖房時における温水の前記温度レベル（前記熱動弁Ｖ３２の開閉タイミングに対応している）が、例えば１０段階のうち５段階目であることを表す「５」が表示され、前記インジケータ領域２０２Ｂには、それに対応するインジケータ表示が行われている。
【００８６】
前記図９（ｂ）に示した状態から、前記十字キー２５９の左向き▲キーを押下して前記タブＴＡを操作（前記単押し操作）することで、図９（ｃ）に示す、前記図９（ａ）と同様の端末設定画面２０１へ再び移行する。すなわち、端末設定画面２０１では、前記したように、前記運転状態表示領域２０１Ａにて、リビングＲ１Ｂの前記冷温水パネル３５１に対し前記室外機１からの温水により暖房が実行可能な設定状態であるものの暖房運転が行われていない状態を表す「リビング  温水暖房  停止」の表示がなされ、前記冷温水レベル表示領域２０１Ｃには、暖房時における温水の温度レベルが５段階目であることを表す「５」が表示され、前記インジケータ領域２０１Ｂで対応するインジケータ表示が行われている。
【００８７】
この図９（ｃ）に示される状態から、前記「運転切替」ボタン２５５が操作されると、前記端末設定画面２０１は、図９（ｄ）に示す状態へ移行する。図示のように、前記「運転切替」ボタン２５５の操作により、前記運転状態表示領域２０１Ａは、通常運転から（予め定められた）セーブモード運転の表示へ切り替わる。すなわち、リビングＲ１Ｂの前記冷温水パネル３５１に対し前記室外機１からの温水によりセーブモードでの暖房が実行可能な設定状態であるものの暖房運転が行われていない状態を表す、「リビング  暖房セーブ  停止」の表示に切り替わる。
【００８８】
前記図９（ｄ）に示した状態から、前記「運転／停止」ボタン２５３が操作されると、前記端末設定画面２０１は、図９（ｅ）に示す状態へ移行する。図示のように、前記「運転／停止」ボタン２５３の操作により、前記運転状態表示領域２０１Ａは、リビングＲ１Ｂの前記冷温水パネル３５１に対し前記室外機１から温水が供給され前記セーブモードでの暖房運転が開始された状態を表す、「リビング  暖房セーブ  運転中」の表示に切り替わり、状態表示部ＤＡは、「ＯＦＦ」表記から「ＯＮ」表記に切り替わる。なお、前記冷温水レベル表示領域２０１Ｃでは、前記暖房運転により供給される温水の温度レベルが、前記図９（ｄ）に引き続き「５」であることが表示されている。
【００８９】
さらに、前記図９（ｅ）に示す前記端末設定画面２０１からの画面遷移の例を、図１０、図１１、図１２により説明する。
【００９０】
まず、前記図９（ｅ）の状態から、前記十字キー２５９の▼キーが操作されると、前記端末設定画面２０１は、図１０（ａ）に示す状態へ移行する。図示のように、前記▼キーの操作により、前記冷温水レベル表示領域２０１Ｃ及び前記インジケータ領域２０１Ｂに表示される、前記暖房運転により供給される温水の温度レベルが、前記図９（ｅ）の「５」から「４」に１段階下がった状態に切り替わっている。
【００９１】
この図１０（ａ）に示した状態から、前記十字キー２５９の右向き▲キーを押下して前記タブＴＢを操作（前記単押し操作）することで、図１０（ｂ）に示す前記端末設定画面２０２へ移行する。図１０（ｂ）において、この端末設定画面２０２では、前記運転状態表示領域２０２Ａは、ダイニングＲ１Ｃの前記暖房パネル３５２に対し前記室外機１からの温水により前記セーブモードでの暖房が実行可能な設定状態であるものの（前記図９（ｂ）での設定に引き続き）暖房運転が行われていない状態であることを表す「ダイニング  暖房セーブ  停止」の表示に切り替わる。なお前記冷温水レベル表示領域２０２Ｃでは、前記暖房運転により供給可能な温水の温度レベルが、引き続き前記図９（ｂ）での設定どおりに「５」であることが表示されている。
【００９２】
この図１０（ｂ）の状態から、前記十字キー２５９の▼キーが操作されると、前記端末設定画面２０２は、図１０（ｃ）に示す状態へ移行する。図示のように、前記▼キーの操作により、前記冷温水レベル表示領域２０２Ｃ及び前記インジケータ領域２０２Ｂに表示される、前記暖房運転により供給可能な温水の温度レベルが、前記図１０（ｂ）の「５」から「４」に１段階下がった状態に切り替わっている。
【００９３】
前記図１０（ｃ）に示した状態から、前記「運転／停止」ボタン２５３が操作されると、前記端末設定画面２０２は、図１０（ｄ）に示す状態へ移行する。図示のように、前記「運転／停止」ボタン２５３の操作により、前記運転状態表示領域２０２Ａは、前記「ダイニング  暖房セーブ  停止」の表示から、ダイニングＲ１Ｃの前記暖房パネル３５２に対し前記室外機１から温水が供給され前記セーブモードでの暖房運転が開始された状態を表す、「ダイニング  暖房セーブ  運転中」の表示に切り替わり、状態表示部ＤＢは、「ＯＦＦ」表記から「ＯＮ」表記に切り替わる。なお、前記冷温水レベル表示領域２０２Ｃでは、前記暖房運転により供給される温水の温度レベルが、前記図１０（ｃ）に引き続き「４」であることが表示されている。
【００９４】
この図１０（ｄ）に示される状態から、前記「運転切替」ボタン２５５が操作されると、前記端末設定画面２０２は、図１０（ｅ）に示す状態へ移行する。図示のように、前記「運転切替」ボタン２５５の操作により、前記運転状態表示領域２０２Ａは、前記セーブモードでの運転から前記通常運転の表示へと切り替わる。すなわち、ダイニングＲ１Ｃの前記暖房パネル３５２に対し前記室外機１からの温水が供給され、通常モードでの暖房運転が開始された状態を表す、「ダイニング  温水暖房  運転中」の表示に切り替わる。なお、前記冷温水レベル表示領域２０２Ｃでは、前記暖房運転により供給される温水の温度レベルが、前記図１０（ｄ）に引き続き「４」であることが表示されている。
【００９５】
一方、前記図９（ｅ）の状態から、前記十字キー２５９の左向き▲キーが操作（前記長押し操作）されると、図１１（ａ）に示す前記全体設定画面２００へ移行する。前述したように、ＣＰＵによるこのような表示部２５０への制御によって、結果的に、全体設定画面２００の表示状態にはなりにくくかつ端末設定画面２０２の表示状態になりやすくなる制御が実行されており、このＣＰＵの制御機能も、各請求項記載の表示状態制限手段に相当している。図１１（ａ）に示すように、この例では、前記運転状態表示領域２００Ａに、前記室外機１から温水を供給し温調システムＳ全体として前記セーブモードでの暖房運転が行われている状態を表す「暖房セーブ  運転中」の表示がなされている。また前記温度設定表示領域２００Ｃには、暖房用にユーザが予め（可変に）設定した温水の前記温度設定「４０℃」が表示されている。また、前記他機表示領域２００Ｂには、前記非対象端末機が運転されていないことを表す「他機  ＯＦＦ」の表示がなされている。
【００９６】
この図１１（ａ）の状態から、前記十字キー２５９の▼キーが操作されると、前記全体設定画面２００は、図１１（ｂ）に示す状態へ移行する。図示のように、前記▼キーの操作により、前記温度設定表示領域２００Ｃに表示される、前記暖房運転により温調システムＳ全体に供給されている温水の温度設定が、前記図１１（ａ）の「４０℃」から「３９℃」に１℃下がった状態に切り替わっている。
【００９７】
前記図１１（ｂ）に示した状態から、前記「運転切替」ボタン２５５が操作されると、前記全体設定画面２００は、図１１（ｃ）に示す状態へ移行する。図示のように、前記「運転切替」ボタン２５５の操作により、前記運転状態表示領域２００Ａは、前記室外機１から冷水を供給し温調システムＳ全体として前記セーブモードでの冷房運転が行われている状態を表す「冷房セーブ  運転中」の表示に切り替わる。また、前記温度設定表示領域２００Ｃは、冷房用にユーザが予め（可変に）設定した冷水の前記温度設定「１５℃」の表示に切り替わっている。
【００９８】
前記図１１（ｃ）に示した状態から、前記十字キー２５９の右向き▲キーを押下して前記タブＴＡを操作（前記単押し操作）することで、図１１（ｄ）に示す前記端末設定画面２０１へ再び移行する。図示のように、この端末設定画面２０１の前記運転状態表示領域２０１Ａでは、リビングＲ１Ｂの前記冷温水パネル３５１に対し前記室外機１から冷水が供給され前記セーブモードでの冷房運転中であることを表す、「リビング  冷房セーブ  運転中」が表示される。なお、前記冷温水レベル表示領域２０１Ｃには、冷房時における冷水の前記温度レベル（前記熱動弁Ｖ３１の開閉タイミングに対応している）が、前記５段階目に予め（可変に）設定されていることを表す「５」が表示され、前記インジケータ領域２０１Ｂには、それに対応するインジケータ表示が行われている。なお、前記同様、前記全体設定画面２０１から前記端末設定画面２０１への移行に限られず、他の前記端末設定画面２０２，２０３への移行も、対応する前記タブＴＢ，ＴＣの前記単押し操作により実行される。さらに、前記全体設定画面２１０から前記端末設定画面２１１，２１２への移行や前記全体設定画面２２０から前記端末設定画面２２１への移行についても、対応する前記タブＴＡ，ＴＢに対し前記単押し操作がなされた場合に実行される。
【００９９】
あるいは、前記と同様、前記図１１（ｃ）のように前記全体設定画面２００が表示され、前記非操作状態が例えば１０分間継続したか否かが前記ＣＰＵによって判定され（前記判定手段としての機能）、その判定が満たされたとき前記図１１（ｃ）に示した状態から前記図１１（ｄ）の前記端末設定画面２０１へ移行するようにしてもよい。なお、他のリモコン装置５２，５１Ａ，５１Ｂ，５１Ｃの前記全体設定画面２１０，２２０においても同様である。
【０１００】
また一方、前記図９（ｅ）の状態から、前記十字キー２５９の左向き▲キーに対し、前記単押し操作が行われると、前記と同様、前記端末設定画面２０１が、図１２（ａ）に示す状態へ移行する。図示のように前記メッセージ表示領域２０１Ｄに”メイン画面への移行は「▲（左向き）」を３秒押ししてください”の注意喚起メッセージが表示され、前記ガイド表示領域２０１Ｅに”［戻る］でメッセージ画面を閉じます”のガイド表示が行われる。
【０１０１】
この図１２（ａ）に示した状態から、前記「戻る」ボタン２５７を操作することで、前記と同様、図１２（ｂ）に示す前記端末設定画面２０１へ移行する。あるいは、前記と同様、図１２（ａ）の状態で前記非操作状態が例えば１０秒間継続したとき、図１２（ｂ）の前記端末設定画面２０１へ移行するようにしてもよい。
【０１０２】
以上説明したように、本実施形態の温調システムＳによれば、前記複数の室内端末機（前記の例では、冷温水パネル３５１、暖房パネル３５２、床暖房パネル３５３、又は、冷温水パネル２５１、暖房パネル２５２）を操作するために、リモコン装置５３，５２が設けられる。そして、各リモコン装置５３，５２の前記表示部２５０において、複数の設定画面２００〜２０３又は設定画面２１０〜２１２が切替可能に表示される。このとき、それら複数の設定画面２００〜２０３又は２１０〜２１２には、前記温調システムＳ全体に係わる設定を行うための全体設定画面２００，２１０と、前記複数の室内端末機に係わる設定をそれぞれ行うための複数の端末設定画面２０１〜２０３，２１１〜２１２と、が含まれている。そして、これら全体設定画面２００，２１０及び端末設定画面２０１〜２０３，２１１〜２１２には、切替操作用のタブＴが例えば端部から突出するようにそれぞれ設けられており、表示部２５０は、前記タブＴが操作された場合には、当該操作されたタブＴを備えた設定画面の表示状態に移行する。
【０１０３】
以上のように、本実施形態の温調システムＳによれば、１つのリモコン装置５３（又は５２）において、前記温調システムＳ全体に係わる設定を行える全体設定画面２００，２１０と、前記室内端末機に係わる設定を行える端末設定画面２０１〜２０３，２１１〜２１２と、が切替可能に表示される。これにより、当該温調システムＳ全体に係わる設定を行う全体操作リモコンと、室内端末機に係わる設定を行う端末操作リモコンと、が別々に設けられる従来構造に比べ、リモコンの設置スペースを低減しかつリモコン設置状態における美観を向上することができる。
【０１０４】
またその際、前記全体操作リモコン相当の機能を得られる前記全体設定画面２００，２１０と、前記端末操作リモコン相当の機能を得られる前記端末設定画面２０１〜２０３，２１１〜２１２と、の２種類の画面に、機能が切り分けて設けられ、さらに各設定画面にはタブＴが設けられている。これにより、前記端末設定画面２０１〜２０３，２１１〜２１２と、前記全体設定画面２００，２１０とを、タブＴを用いて容易に切り替えることができる（図７〜図１２参照）。そしてこのとき、ＣＰＵの制限により、表示部２５０は、前記全体設定画面２００，２１０の表示状態にはなりにくくかつ前記端末設定画面２０１〜２０３，２１１〜２１２の表示状態になりやすくなるよう、制御される。この結果、通常の使用場面では使用頻度が低い前記全体設定画面２００，２１０でなく、室温設定や室内端末機の能力調整のために通常の使用場面において使用頻度が高い前記端末設定画面２０１〜２０３，２１１〜２１２を、より簡便に手早く表示させることができるので、ユーザの利便性を向上することができるものである。
【０１０５】
また、本実施形態の温調システムＳによれば、前記複数の室内端末機（前記の例では、洋室Ｒ１Ａの床暖房パネル１５３、洋室Ｒ２Ｄの床暖房パネル１５３、寝室Ｒ２Ｃの床暖房パネル１５３）をそれぞれ操作するために、複数のリモコン５１Ａ，５１Ｂ，５１Ｃが設けられる。そして、各リモコン５１Ａ，５１Ｂ，５１Ｃの前記表示部２５０において、複数の設定画面２２０，２２１が切替可能に表示される。このとき、それら複数の設定画面には、前記温調システムＳ全体に係わる設定を行うための全体設定画面２２０と、当該リモコン５１Ａ，５１Ｂ，５１Ｃに対応する前記室内端末機（床暖房パネル１５３）に係わる設定をそれぞれ行うための端末設定画面２２１と、が含まれている。そして、これら全体設定画面２２０及び端末設定画面２２１には、切替操作用のタブ（タブＴＭ及びタブＴＡ，ＴＢ，ＴＣ。以下適宜、単に「タブＴ」と総称する）が例えば端部から突出するようにそれぞれ設けられており、表示部２５０は、前記タブＴが操作された場合には、当該操作されたタブＴを備えた設定画面の表示状態に移行する。
【０１０６】
以上のように、本実施形態の温調システムＳによれば、各リモコン５１Ａ，５１Ｂ，５１Ｃにおいて、前記温調システムＳ全体に係わる設定を行える全体設定画面２２０と、前記室内端末機に係わる設定を行える端末設定画面２２１と、が切替可能に表示される。これにより、当該温調システムＳ全体に係わる設定を行う全体操作リモコンと、室内端末機に係わる設定を行う端末操作リモコンと、が別々に設けられる従来構造に比べ、リモコンの設置スペースを低減しかつリモコン設置状態における美観を向上することができる。
【０１０７】
またその際、前記全体操作リモコン相当の機能を得られる前記全体設定画面２２０と、前記端末操作リモコン相当の機能を得られる前記端末設定画面２２１と、の２種類の画面に、機能が切り分けて設けられ、さらに各設定画面にはタブＴが設けられている。これにより、前記端末設定画面２２１と、前記全体設定画面２２０とを、タブＴを用いて容易に切り替えることができる。この結果、通常の使用場面では使用頻度が低い前記全体設定画面２２０でなく、室温設定や室内端末機の能力調整のために通常の使用場面において使用頻度が高い前記端末設定画面２２１を、より簡便に手早く表示させることができるので、ユーザの利便性を向上することができるものである。
【０１０８】
また、本実施形態では特に、各リモコン装置５３，５２，５１Ａ〜Ｃにおいて、前記全体設定画面２００，２１０，２２０の表示状態から前記端末設定画面２０１〜２０３，２１１〜２１２，２２１の表示状態に切り替えるために必要なユーザの操作労力（前記の例では０．０１秒間以上３秒未満の単押し操作）よりも、前記端末設定画面２０１〜２０３，２１１〜２１２，２２１の表示状態から前記全体設定画面２００，２１０，２２０の表示状態に切り替えるために必要なユーザの操作労力（前記の例では３秒間以上の長押し操作）のほうが、大きくなるように予め設定されている。これにより、前記表示部２５０は、前記全体設定画面２００，２１０，２２０の表示状態にはなりにくく、前記端末設定画面２０１〜２０３，２１１〜２１２，２２１の表示状態になりやすくなる。この結果、前記のように通常の使用場面において使用頻度が高い前記端末設定画面２０１〜２０３，２１１〜２１２，２２１をより確実に表示させることができるので、操作時におけるユーザの利便性を確実に向上させることができるものである。
なお、上記においては、端末設定画面２０１〜２０３，２１１〜２１２，２２１の表示状態から全体設定画面２００，２１０，２２０の表示状態に切り替えるために必要なユーザの操作労力（第２操作労力）として、３秒以上の長押し操作を例示して説明したが、これに限られない。すなわち、所定時間以内に２回以上の単押し操作や２つ以上の異なるボタン（例えば、十字キーと「メニュー／決定」ボタン）の同時押し等であってもよい。すなわち、少なくとも、ユーザにとって前記第１操作労力よりも大きな労力負担となるものであれば足りる。
【０１０９】
また、本実施形態では特に、前記表示部２５０が前記全体設定画面２００，２１０，２２０に切り替わった状態のまま、ある程度の時間（前記の例では１０分間）継続すると、自動的に所定の端末設定画面に切り替わる。したがって、これによっても、前記のように使用頻度が高い前記端末設定画面２０１〜２０３，２１１〜２１２，２２１をさらに確実に表示させることができるものである。
【０１１０】
また、本実施形態では特に、タブＴＡ，ＴＢ，ＴＣは、対応する前記室内端末機の運転状態を表す状態表示部ＤＡ，ＤＢ，ＤＣを備える。これにより、ユーザは、表示部２５０に常時表示されている前記タブＴＡ，ＴＢ，ＴＣに備えられた前記状態表示部ＤＡ，ＤＢ，ＤＣによって、各リモコン５３，５２，５１Ａ〜Ｃの操作対象である前記室内端末機の運転状態を容易に視認することができるものである。
【０１１１】
また、本実施形態では特に、各リモコン５３，５２，５１Ａ，５１Ｂ，５１Ｃの前記全体設定画面２００，２１０，２２０には、当該リモコンの操作対象となっていない前記室内端末機の運転状態を表す他機表示領域２００Ｂ等が備えられている。これにより、ユーザは、当該リモコン５３，５２，５１Ａ，５１Ｂ，５１Ｃの操作対象ではない室内端末機であっても、その室内端末機の運転状態を、表示部２５０の全体設定画面２００，２１０，２２０に備えられた前記他機表示領域２００Ｂ等によって容易に視認することができるものである。
【０１１２】
なお、本発明は上記実施形態に限定されるものではなく、発明の要旨を変更しない範囲で種々の変更が可能である。
例えば、前記の実施形態では、図４（ａ）〜（ｄ）等に示すように、前記リモコン装置５３において、左端から右端に向かって、タブＴＭ→タブＴＡ→タブＴＢ→タブＴＣの順序で配置したが、これに限られない。すなわち、図４（ａ）〜（ｄ）に対応する図１３（ａ）〜（ｄ）に示すように、タブＴＭが前記表示部２５０のうち一方側端部（この例では右端。又は右端近傍でもよい）の特定部位に表示され、前記端末設定画面２０１〜２０３，２１１〜２１２，２２１を選択するためのタブＴＡ，ＴＢ，ＴＣが前記表示部２５０のうち前記特定部位以外の部分（この例ではタブＴＭよりも左側）に表示されるようにしてもよい。この場合、結果的に、左端から右端に向かって、タブＴＡ→タブＴＢ→タブＴＣ→タブＴＭの順序で配置されることとなる。
この場合、タブＴＭは、ユーザが比較的操作しにくい位置（この例では前記表示部２５０の左端部がもっとも操作しやすいことから、それ以外の位置である右端部又はその近傍）に配置される。これによっても、表示部２５０は、さらに、前記全体設定画面２００，２１０，２２０の表示状態にはなりにくく、前記端末設定画面２０１〜２０３，２１１〜２１２，２２１の表示状態になりやすくなる。この結果、前記のように使用頻度が高い前記端末設定画面２０１〜２０３，２１１〜２１２，２２１をさらに確実に表示させることができる。
特にこの場合、前記したように、電源投入時に表示されるデフォルトで表示される前記端末設定画面２０１を表示するためのタブＴＡが上記一方側端部（この例では左端）に配置され、前記全体設定画面２００を表示するためのタブＴＭがその反対側の他方側端部（この例では右端）に配置されている。すなわち、タブＴＭはタブＴＡから最も遠い位置にあるため、タブＴＭをなるべく操作しにくくするという観点から特に好ましい。
【０１１３】
なお、上記の観点に特に着目すると、図１３及び前記図４に示すように３つのタブＴＡ，ＴＢ，ＴＣとタブＴＭとが配置される構成では、電源投入時にデフォルトで表示される画面を、少なくとも、前記タブＴＭと隣り合うタブ（図１３の例ではタブＴＣ、図４の例ではタブＴＡ）以外のタブＴに関わる端末設定画面（図１３の例ではタブＴＡ又はＴＢを表示する端末設定画面２０１又は２０２、図４の例ではタブＴＢ又はＴＣを表示する端末設定画面２０２又は２０３）とすればよい。その意義は、以下の通りである。
すなわち、前記したように、本実施形態ではタブＴの１回の操作では隣接するタブＴへの移行しかできない。したがって、図１３の例で言えば、タブＴＡを備えた端末設定画面２０１をデフォルトで表示すると、前記全体設定画面２００を表示するためには、→タブＴＢ→タブＴＣ→タブＴＭの順で３回の操作が必要となり（図１３（ａ）〜（ｄ）参照）、タブＴＢを備えた端末設定画面２０２をデフォルトで表示すると、前記全体設定画面２００を表示するためには、→タブＴＣ→タブＴＭの順で２回の操作が必要となり（図１３（ｂ）〜（ｄ）参照）、いずれも複数回の操作が必要となり、１回操作では移行できないからである。これにより、表示部２５０は、さらに確実に前記全体設定画面２００の表示状態にはなりにくくなる（図４の場合も同様）。
また、同様の観点から、前記図５に示すように３つのタブＴＡ，ＴＢとタブＴＭとが配置される構成では、電源投入時にデフォルトで表示される画面を、前記タブＴＭと隣り合うタブ（この例ではタブＴＡ）以外のタブＴに関わる端末設定画面（この例ではタブＴＢを表示する端末設定画面２１２）とすればよい。この場合、前記全体設定画面２１０を表示するためには、→タブＴＡ→タブＴＭの順で２回の操作が必要となる（１回操作では移行できない）からである。この場合も、表示部２５０は、さらに確実に前記全体設定画面２１０の表示状態にはなりにくくなる。
【０１１４】
また、例えば上記実施形態では、冷暖房可能な端末として冷温水パネルのみを例にとって説明したが、これに限られず、冷暖房機能を備えた他の端末（吸放熱端末）を適用してもよい。また暖房専用端末として、暖房パネル、床暖房パネルのみを例にとって説明したが、これに限られず、暖房機能を備えた他の専用端末（放熱端末）を適用してもよい。
【符号の説明】
【０１１５】
１                室外機（熱源機）
２                主往き管（複数の管路）
３                主戻り管（複数の管路）
５１Ａ〜Ｃ        リモコン装置（複数のリモコン）
５２              リモコン装置（１つの共通のリモコン）
５３              リモコン装置（１つの共通のリモコン）
１５３            床暖房パネル（室内端末機）
１６２            冷温水往き管（複数の管路）
１６３            冷温水戻り管（複数の管路）
２００            全体設定画面
２００Ｂ          他機表示領域（第２状態表示部）
２０１            端末設定画面
２０２            端末設定画面
２０３            端末設定画面
２１０            全体設定画面
２１１            端末設定画面
２１２            端末設定画面
２２０            全体設定画面
２２１            端末設定画面
２５０            表示部
２５１            冷温水パネル（室内端末機）
２５２            暖房パネル（室内端末機）
２５３            「運転／停止」ボタン（操作部）
２５４            「タイマー」ボタン（操作部）
２５５            「運転切替」ボタン（操作部）
２５７            「戻る」ボタン（操作部）
２５８            「メニュー／決定」ボタン（操作部）
２５９            十字キー（操作部）
２６２            冷温水往き管（複数の管路）
２６３            冷温水戻り管（複数の管路）
３５１            冷温水パネル（室内端末機）
３５２            暖房パネル（室内端末機）
３５３            床暖房パネル（室内端末機）
３６２            冷温水往き管（複数の管路）
３６３            冷温水戻り管（複数の管路）
ＣＵ              室外機制御部（熱源制御部）
ＣＶ１〜３        熱動弁コントローラ（熱動弁制御部）
ＤＡ              状態表示部（第１状態表示部）
ＤＢ              状態表示部（第１状態表示部）
ＤＣ              状態表示部（第１状態表示部）
Ｓ                温調システム
ＴＡ，ＴＢ，ＴＣ  タブ（端末操作タブ）
ＴＭ              タブ（全体操作タブ）
Ｖ１              熱動弁
Ｖ２１，２２      熱動弁
Ｖ３１〜３３      熱動弁
【図１】
2019056494.tif 000003
【図２】
2019056494.tif 000004
【図３】
2019056494.tif 000005
【図４】
2019056494.tif 000006
【図５】
2019056494.tif 000007
【図６】
2019056494.tif 000008
【図７】
2019056494.tif 000009
【図８】
2019056494.tif 000010
【図９】
2019056494.tif 000011
【図１０】
2019056494.tif 000012
【図１１】
2019056494.tif 000013
【図１２】
2019056494.tif 000014
【図１３】
2019056494.tif 000015